(57)【特許請求の範囲】
【請求項１】
ガス導入管部と、同ガス導入管部に連通し、ヒータにてガス検知半導体抵抗膜を加熱する半導体式ガスセンサを収納したガス検出部とからなり、前記ガス導入管部内の中央にガス流れ方向に沿った仕切板を入れると共に、前記ガス検出部内の前記半導体式ガスセンサの周囲を断熱防水シールゴムで覆い、同シールゴムの前記ガス導入管部と連通する開口部にガス透過膜を貼ったことを特徴とするガス検出装置。
【請求項２】
前記半導体式ガスセンサは、前記ヒータの抵抗が予め設定した一定の基準抵抗になるようにヒータ印加電圧を制御するヒータ抵抗制御回路を設け同ヒータにて加熱されることを特徴とする請求項１記載のガス検出装置。
【請求項３】
半導体式ガスセンサは、湿度検出手段と周囲温度検出手段とを用いてその検出信号が補正されることを特徴とする請求項１記載のガス検出装置。
【請求項４】
前記請求項３記載のガス検出装置を用いたことを特徴とする空気調和機。
【請求項５】
前記ガス検出装置は室外に設置されると共に、室内にも別のガスセンサを設置して換気用ダンパを開閉する構成とし、前記室外のガス検出装置で室外の空気に含まれるガスの成分に基づいて前記空気の汚れを検出し、室外側の空気の前記汚れが所定の汚れ以上である場合前記換気用ダンパを開かず、前記室内のガスセンサで閉室内側の人の呼気による２酸化炭素、または水素の上昇を検出し、その上昇が所定値以上であると、前記換気用ダンパを一定時間開く強制換気機能を有することを特徴とする請求項４記載の空気調和機。
【発明の詳細な説明】
【０００１】
【発明の属する技術分野】
本発明は、半導体式ガスセンサの周囲環境温度変化や風が当たることによる出力変動問題を解決したもので、特に自動車や室内の空調機器の空気切替えや空気清浄機器の制御に好適な換気制御用のガス検出装置に関する。
【０００２】
【従来の技術】
金属酸化物半導体焼結材料の電気伝導度を利用した半導体式ガスセンサに関する技術は、例えば「特殊セラミックセンサ」ｐ１７−ｐ２５（エレセラ出版委員会編（株）技献１９８０年１月１６日発行）、トランジスタ技術の特集「すぐに使えるセンサ応用回路集１−６ガスセンサの同差原理と応用回路」（１９９８年６月号ｐ２５０−ｐ２５４）、等に開示されている。ここでは、一例として、トランジスタ技術１９９８年６月号（ｐ２５１図７（ａ）が主）に開示されている技術の概要を図６に示す。図６において、１１０は半導体式ガスセンサの全体であり、１１３はガス検出部のセンサ素子（センサ抵抗）、１１４はヒータ、１２０はセンサ出力電圧、１２１は負荷抵抗を示している。
【０００３】
半導体式ガスセンサ１１０のセンサ抵抗とヒータ１１４とは構造的に空気や絶縁体にて分離されており、センサ抵抗の＋側（−側でも良い）はヒータ１１４とつながれている。センサ抵抗の−側は負荷抵抗１２１が接続され、その負荷抵抗１２１は電源の−に接続されている。この負荷抵抗値は、素子での消費電力がセンサ設計値以下になる値で、電気増幅回路でのセンサ出力条件に合わせて与えられる。このような構成で、ある定められた直流電源をヒータ１１４に印加すると、ヒータ及びセンサ抵抗の温度はある温度で安定する。
【０００４】
このような半導体式ガスセンサ１１０においては、清浄大気中では、空気中に存在する酸素が半導体素子表面にて化学吸着する事により、その素材であるセラミックの接触結晶粒界に吸着した酸素により高い電気的な障壁が生じる。半導体式ガスセンサ１１０にガスが触れると、ガスがセンサ表面に存在する酸素と酸化反応を起こし、センサ表面の酸素が減少する。センサ表面の酸素が減少すると、接触結晶粒界に生じていた電気的障壁は減少する。つまり、ガスがセンサと接触するとセンサ抵抗値が減少するので、これによりガスの量が検出される。センサ出力電圧はセンサ負荷抵抗１２１との抵抗分圧にて決まるので、そのセンサ抵抗の変化幅に合わせて増幅回路定数を決定する。半導体式ガスセンサ１１０のガスに対する出力特性は、周囲温度条件が変化せず、センサに当たる空気流速が低い静的な条件にて測定されている。
【０００５】
次に、ヒータ１１４の温度について考察する。ヒータ１１４に定電圧ＶH を印加すると、ヒータ抵抗ＲH とヒータに流れる電流ＩH との関係は、オームの法則に従い、ＩH ＝ＶH ／ＲH ，である。この抵抗値ＲH は、ヒータを定電圧印加した時、ヒータ抵抗ＲH に流れるヒータ印加電流ＩH により発生するジュール発熱によるヒータ加熱量が、ガス検出部への加熱熱伝導条件及び周囲の空気に放熱される熱伝達条件によって決まる熱の安定平衡状態となった時の抵抗値である。ジュール発熱量ＱH は、ＱH ＝ＶH ・ＩH ＝ＶH 2 ／ＲH ，である。
【０００６】
周囲温度が下がったり、センサへあたる空気流速が増すと、センサ部で放熱される熱量が増えるので、ヒータ抵抗ＲH が下がる。ヒータ１１４に定電圧印加するとヒータ印加電流抵抗ＲH が下がった場合、ジュール発熱量が増えるので、周囲環境条件とで決まるある温度平衡条件に収束していく。通常この自己温度補償によりセンサ部の温度は、センサの精度範囲内で安定に保たれている。
【０００７】
【発明が解決しようとする課題】
上記に説明した半導体式ガスセンサは小形で高感度の点で優れているが、ガスとの反応の場である半導体検出部を検出したいガスとの感度や応答性を考慮して、ヒータの加熱温度（ヒータ印加電圧値）を決定している。このため、周囲温度が大きく変化したりセンサガス検出部にあたる空気流速（つまり風速）が大きく変化すると、ヒータ加熱している熱伝導／熱伝達条件が変化し、導入ガス中の絶対湿度が変化する。この変化が生ずると、ガス感度が変化し、単純な定電圧印加ではセンサの作動温度やガス感度を安定させる面で改良の余地がある。
【０００８】
又、半導体式ガスセンサは小形で高感度の点で優れているが、複数センサを設置すると配線が増え、コスト負担が増加する。特に空気調和機には外温センサが搭載されているので、室外ガスセンサの温度補償用温度センサと半導体式ガスセンサの温度検出機能が重複するので、コスト面で改良の余地がある。
【０００９】
又、更に、半導体式ガスセンサは小形で高感度の点で優れているが、複数のガスセンサで目的のガスを検出しようとするためガス感度が特定されている。このため個別にはガス検出を作用させる事ができるが、複数設置した場合、センサ信号に矛盾がでて、換気機能の場合、換気処理方法で改良の余地がある。
【００１０】
そこで本発明は、半導体式ガスセンサを用いた換気制御用のガス検出装置において、ガスの検出感度の変化を抑え、センサのヒータ加熱温度を周囲温度の変化により変動しないように一定に制御し、又、温度や湿度により出力を補正して正確なガス量の検出ができるようにする。又、更に、このようなガス検出装置を空気調和機にも適用して室内の換気や除湿を制御することを目的としてなされたものである。
【００１１】
【課題を解決するための手段】
本発明は前述の課題を解決するために、次の手段を提供する。
【００１２】
（１）ガス導入管部と、同ガス導入管部に連通し、ヒータにてガス検知半導体抵抗膜を加熱する半導体式ガスセンサを収納したガス検出部とからなり、前記ガス導入管部内の中央にガス流れ方向に沿った仕切板を入れると共に、前記ガス検出部内の前記半導体式ガスセンサの周囲を断熱防水シールゴムで覆い、同シールゴムの前記ガス導入管部と連通する開口部にガス透過膜を貼ったことを特徴とするガス検出装置。
【００１３】
（２）前記半導体式ガスセンサは、前記ヒータの抵抗が予め設定した一定の基準抵抗になるようにヒータ印加電圧を制御するヒータ抵抗制御回路を設け同ヒータにて加熱されることを特徴とする（１）記載のガス検出装置。
【００１４】
（３）半導体式ガスセンサは、湿度検出手段と周囲温度検出手段とを用いてその検出信号が補正されることを特徴とする（１）記載のガス検出装置。
【００１５】
（４）前記（３）記載のガス検出装置を用いたことを特徴とする空気調和機。
【００１６】
（５）前記ガス検出装置は室外に設置されると共に、室内にも別のガスセンサを設置して換気用ダンパを開閉する構成とし、前記室外のガス検出装置で室外の空気の汚れを検出し、室外側の空気汚れが所定の汚れ以上である場合前記換気用ダンパを開かず、前記室内のガスセンサで閉室内側の人の呼気による２酸化炭素上昇を検出し、その上昇が所定値以上であると、前記換気用ダンパを一定時間開く強制換気機能を有することを特徴とする（４）記載の空気調和機。
【００１７】
本発明の（１）においては、ガス導入の為のガス導入管部の中央に仕切板を入れ、その導入管部内では、導入管部の導入部の前をガスが通過する際に生じる差圧にてガスの導入と排出が行われる。この時、導入管前面のガス流速が速くなっても、ガス導入管内でガスをガス検知部まで導入するためのガス流速の著しい増加を抑える事が出来る。これによりガス検知部のガス流速によるガス感度変化を抑える事が出来る。
【００１８】
又、ガスセンサの周りを断熱と防水シールを兼ねたゴムで覆い、外部からのガスをガスセンサに供給するためのゴムの開口部にガス透過膜、例えばテフロン（商標登録名であり、以下メンブレンフィルタとして記載する）製メンブレンフィルタ、を貼り防水・除塵機能を持たせてある。ガス透過膜は薄いので不織布等に貼り強度を持たせても良い。またガス導入管内に不織布や繊維系のフィルタを詰めて防滴・防水性を上げても良い。
【００１９】
本発明の（２）においては、半導体式ガスセンサのガス検知部は、白金ヒータ加熱されている。この為周囲温度によりヒータ加熱温度が下がるとヒータ抵抗は下がる。ヒータ制御回路ではヒータ加熱のタイミングに合わせてヒータ加熱部の電圧を測定する事によりヒータ抵抗値を測定し、事前に測定しているヒータ温度と抵抗値の関係からヒータ温度に変換する。これに合わせてヒータ加熱量を制御し、ヒータ温度を一定にする。この方法として、印加電圧を制御する方法と印加電圧供給時間を制御する方法がある。
【００２０】
本発明の（３）では、半導体式ガスセンサのガス感度は特に絶対湿度の影響を受ける。この為、温度と湿度計測手段を用いて絶対湿度を計測し、半導体式ガスセンサの出力を補正するので、正確なガス量の検出ができる。
【００２１】
本発明の（４）では、ガス検出部中の温度検出部と湿度検出部機能を利用して、空調機の換気や除湿制御に応用することにより、他の筐体中に入れたセンサ信号を伝送する配線が不要で１つにまとめる事が可能である。信号の伝送方法もセンサの数だけ多芯ケーブルで配線しても良いし、ガス検出部にあるマイコンを用いて空調機側の受け手側のマイコンとの間にデータやりとり方法を決めておけば、シリアル転送可能であり、送信したい信号数に関係なくデータ転送が可能となる。
【００２２】
勿論ガスセンサは２タイプ以上設置して、２種類以上のガスセンサ出力を検出しても良い。例えば車両用空気調和機においては、車の排気ガスに対しての計測要望が強く、ディーゼル車排ガス用とガソリン車排ガス用と分離して計測したい場合には、ディーゼル用としてＮＯX 系ガス用、ガソリン車用としてＴＨＣ系ガス用に強く反応するガスセンサを搭載しても良い。また家庭用又は業務用空気調和機においては、タバコの煙からの水素や人の呼吸に伴う２酸化炭素を検出するガスセンサを搭載しても良い。
【００２３】
本発明の（５）では、空気調和機においては、室内のタバコに対する空気汚れに対してタバコ煙中の水素に対して反応するガスセンサを室内に搭載する場合があるが、水素は人の呼気中にも含まれており、この水素濃度がセンサのドリフト以上の応答がある場合には人からの水素である。この時、室外のガスセンサにより検出した室外空気が清浄な場合は、換気用ダンパを動作させ換気する。車両用では内外気切替用ダンパ、家庭用では換気ファン、業務用では換気装置を制御する。又、室外のガスセンサにより検出した室外空気が清浄でない場合は、換気用ダンパを作動させず、強制換気を行う。これにより室内の空気を絶えず清浄に保つことができる。
【００２４】
【発明の実施の形態】
以下、本発明の実施の形態について図面に基いて具体的に説明する。図１は本発明の実施の第１形態に係るガス検出装置の断面図である。図１において、ガス検出装置は車戴用に応用した装置であり、ガス検出部１００と導入管部１０１とから構成される。導入管部１０１にはガス流れ方向に仕切板１０２が入れてあり、ガスが２分して内部へ導かれる。
【００２５】
ガス検出部１００には、導入管部１０１との接続部のガス入口周囲を断熱し防水する断熱シールゴム１０５で覆っており、その入口部にはガス透過フィルタ１０３が配設されている。ガス透過フィルタ１０３はメンブレンフィルタ、等の薄い透過膜からなり、この膜は薄いので不織布１０４に貼り付け強度を持たせている。これらガス透過フィルタ１０３と不織布１０４からなる膜は、断熱と防水シールとを兼ねた断熱シールゴム１０５の入口開口周縁部のフランジに貼付け、開口部を覆い、防水、除塵機能を持たせている。断熱シールゴム１０５の基部は電気回路基板１０８に取付けられて密閉した空間を形成し、この空間内で半導体式ガスセンサ１１０が電気回路基板１０８に取付けられている。又、電気回路基板１０８には電気回路部１０７が取付けられている。
【００２６】
上記の構成のガス検出装置は、後述するように、車用空気調和機の吸込みダクトに設置され、ガス透過フィルタ１０３を介してガス検知部である半導体式ガスセンサ１１０にガスが導入される。ガス導入管部１０１にはガス仕切板１０２で仕切られた２つの流路が形成される。ガスはこの２つの流路を境にしてガス検知部１００に導入される。
【００２７】
図２は実施の第１形態に係る換気制御用のガス検出装置を適用した車両の空気調和機を示す構成図である。図において、３００は車であり、２０１は空気の吸込みダクト、２０２は内外気切替ダンパ、２０３はブロアファン、２０４はエバポレータである。ガス検出部１００及び導入管部１０１からなるガス検出装置は、図示のように吸込みダクト２０１へ取付けられる。
【００２８】
上記の構成において、吸込みダクト２０１に流れる空気流速は、車速の影響により変化し、また吸込みダクト２０１の後方にある内気循環と外気導入を切替える切替えダンパ２０２の開閉状態、ブロアファン２０３によっても変化する。このガス検出部１００によれば、導入管部１０１の中央に仕切板１０２を入れ、その導入管部１０２内では、入口前面をガスが通過する際に生ずる差圧によりガスの導入、排出が行なわれる。この時ガス導入管部１０１の前を通過する流速が変化しても、導入管部１０１に生じる差圧は仕切板１０２のないものと比べ小さく抑えられ、ガス検出部１００へ到達するガス流速変化は小さくなる。これにより確実なガス置換を低い流速で行う事が出来る。
【００２９】
この換気制御用のガス検出装置は、車の外部の排気ガス濃度を検出し、その濃度が高いとき内外気切替ダンパ２０２の制御を行い、排気ガス濃度が高い時はダンパを閉じて外気導入を止め、内気循環モードに切替えるために設置してある。
【００３０】
又、本発明の実施の第１形態においては、半導体式ガスセンサのガス検知部は、白金ヒータ加熱されている。この為周囲温度によりヒータ加熱温度が下がるとヒータ抵抗は下がる。図示省略するがヒータ抵抗を制御する回路を設け、この回路においてヒータ加熱のタイミングに合わせてヒータ加熱部の電圧を測定する事によりヒータ抵抗値を測定し、事前に測定しているヒータ温度と抵抗値の関係からヒータ温度に変換する。これに合わせヒータ加熱部を制御してヒータ加熱量を制御し、ヒータ温度を適切な一定温度に制御することもできる。ヒータ加熱部を制御する方法として、印加電圧を制御する方法と印加電圧供給時間を制御する方法があるが、いずれの方法を用いても良い。
【００３１】
次に本発明の実施の第２形態に係るガス検出装置について図３，４，５に基いて説明する。図３において、符号１００〜１０４，１０７，１０８，１１０は図１に示す実施の第１形態と同じ部材であり、本実施の第２形態においては、導入管部１０１の入口部には不織布フィルタ１１９を設け、導入管部１０１内の防滴・防水性を保っている。又、ガス検出部１００の電気回路基板１０８にはガスセンサ１１０に加え、更に温度センサ１１１と湿度センサ１１２が取付けられ、これらセンサ１１０，１１１，１１２は断熱用樹脂管１０６で周囲が覆われている。
【００３２】
断熱用樹脂管１０６の上部開口部周囲にはシール用Ｏリング１０５ａを介して不織布１０４が貼られて強度を持たせたガス透過フィルタ１０３が取付けられ、導入管部１０１からのガスの流入開口部を形成している。又、断熱用樹脂管１０６の電気回路基板１０８への取付基部もシール用Ｏリング１０５ｂを介して取付けられている。その他の構成は図１に示す実施の第１形態の構成と同じである。
【００３３】
上記の構成において、図１の実施の第１形態と同様に、導入管部１０１には仕切板１０２が入れてあり、ガス透過フィルタ１０３を介してガス検出部１００の半導体式ガスセンサ１１０にガスが導入される。このガス検出部１００及び導入管部１０１からなるガス検出装置は、図３に示すように車の前部のラジエータ、コンデンサの前、又は後に取付けられる。このガス検出装置の位置には、通常はエアコン用の温度センサが取付けられるが、本発明のガス検出装置はこのエアコン用温度センサに代って取付けられ、これと同じ機能を有するガス検出装置により外気の排ガスの温度や湿度を検出するものである。
【００３４】
図３に示すように、ガス仕切板１０２で仕切られたガス導入管部１０１には２つの流路が形成される。ガスはこの２つの流路を境にしてガス検出部１００に導入される。車の前部のラジエータ部付近に流れる空気流速は車速の影響により変化するが、このガス検出部１００であれば、実施の第１形態と同様にガス導入管部１０１の前を通過する流速が変化しても、導入部に生ずる差圧は小さく抑えられ、ガス検出部１００へ到達するガス流速変化は小さくなる。これにより確実なガス置換を低い流速で行う事が出来る。
【００３５】
この実施の第２形態においても、この換気制御用のガス検出装置は、外部の排気ガス濃度が高いとき内外気切替ダンパ２０２のダンパ制御を行い、ダンパを閉じて排気ガス濃度が高い時は外気導入を止め、内気循環モードに切替えるために設置してある。
【００３６】
図５は上記に説明の実施の第２形態におけるガス検出装置機能ブロック図である。図において、半導体式ガスセンサは２個が用いられており、これらガスセンサ１１０からの検出信号は、それぞれマイコン２５０へ入力され、そのヒータ１１１はガスセンサ制御回路によりマイコン２５０からの信号で制御されている。又、ガス検出部１００の断熱用樹脂管１０６内に組込まれた温度センサ１１１、湿度センサ１１２からの検出信号もマイコン２５０へ入力されている。
【００３７】
上記構成において、マイコン２５０では温度センサ１１１と湿度センサ１１２の出力を取込み、絶対湿度を算出する。又、ガスセンサ（１），（２）からの信号を取込み、これら信号を算出した絶対湿度で補正する。更に、マイコン２５０は各ガスセンサ（１），（２）のヒータ１１４の電圧もヒータ制御用パルスで制御可能としており、ヒータ加熱温度を適切な温度となるように制御することができる。
【００３８】
マイコン２５０で補正されたガスセンサ（１），（２）の出力信号、温度信号、湿度の信号はシリアル信号化し、デジタル符号化して図示省略のエアコンコントローラ基板へ送信する。エアコンコントローラ基板では、その信号を受信して、車外の温度、湿度、排気ガス濃度を得る。
【００３９】
又、空気調和機においては、室内のタバコに対する空気汚れに対してタバコ煙中の水素に対して反応するガスセンサを室内に搭載する場合があるが、このセンサは水素ガスに対して反応しやすく、タバコが無い時も人の呼気中に含まれる水素ガスで反応する。水素は人の呼気中にも含まれており、この水素濃度がセンサのドリフト以上の応答がある場合には人からの水素である。このため、車においては、この内外気切替ダンパ２０２が閉じて内気循環モードの時は車内の水素ガス濃度が上昇するので、ある閾値を超えたとき、内外気切替ダンパ２０２を開き、外気を導入する。タバコ喫煙時は、車内ガスセンサ出力に基づく強制換気となる。この時は室外のガスセンサ１１０によりガスの濃度を検出し、室外の空気が清浄な場合に内外気切替ダンパ２０２を開く。
【００４０】
なお、図５ではガスセンサを２個設置した例で示したが、勿論ガスセンサは２タイプ以上設置して、２種類以上のガスセンサ出力を検出しても良い。例えば車両用空気調和機においては、車の排気ガスに対しての計測要望が強く、ディーゼル車排ガス用とガソリン車排ガス用と分離して計測したい場合には、ディーゼル用としてＮＯX 系ガス用、ガソリン車用としてＴＨＣ系ガス用に強く反応するガスセンサを搭載しても良い。又、上記の車以外の家庭用又は業務用空気調和機においては、タバコの煙からの水素や人の呼吸に伴う２酸化炭素を検出するガスセンサを搭載しても良い。
【００４１】
【発明の効果】
本発明のガス検出装置は、（１）ガス導入管部と、同ガス導入管部に連通し、ヒータにてガス検知半導体抵抗膜を加熱する半導体式ガスセンサを収納したガス検出部とからなり、前記ガス導入管部内の中央にガス流れ方向に沿った仕切板を入れると共に、前記ガス検出部内の前記半導体式ガスセンサの周囲を断熱防水シールゴムで覆い、同シールゴムの前記ガス導入管部と連通する開口部にガス透過膜を貼ったことを特徴としている。
【００４２】
上記の構成により、導入管部内では、導入管部の導入部の前をガスが通過する際に生じる差圧にてガスの導入と排出が行われる。この時、導入管前面のガス流速が速くなっても、ガス導入管内でガスをガス検知部まで導入するためのガス流速の著しい増加を抑える事が出来る。これによりガス検知部のガス流速によるガス感度変化を抑える事が出来る。又、ガスセンサの周りを断熱と防水シールを兼ねたゴムで覆い、外部からのガスをガスセンサに供給するためのゴムの開口部にガス透過膜（例えばメンブレンフィルタ）を貼り防水・除塵機能を有する。
【００４３】
本発明の（２）では、半導体式ガスセンサのガス検知部は、白金ヒータ加熱されている。ヒータ制御回路では、ヒータ加熱のタイミングに合わせてヒータ加熱部の電圧を測定する事によりヒータ抵抗値を測定し、事前に測定しているヒータ温度と抵抗値の関係からヒータ温度に変換する。これに合わせてヒータ加熱量を制御し、ヒータ温度を一定に制御することができる。
【００４４】
本発明の（３）では、半導体式ガスセンサのガス感度は特に絶対湿度の影響を受ける。この為、温度と湿度計測手段を用いて絶対湿度を計測し、半導体式ガスセンサの出力を補正するので、正確なガス量の検出ができる。
【００４５】
本発明の（４）では、ガス検出部中の温度検出部と湿度検出部機能を利用して、空調機の換気や除湿制御に応用することにより、他の筺体中に入れたセンサ信号を伝送する配線が不要で１つにまとめる事が可能である。
【００４６】
本発明の（５）では、空気調和機においては、室内のタバコに対する空気汚れに対してタバコ煙中の水素に対して反応するガスセンサを室内に搭載する場合があるが、水素は人の呼気中にも含まれており、この水素濃度がセンサのドリフト以上の応答がある場合には、人からの水素であり、この時、室外のガスセンサにより検出した室外空気が清浄な場合は、換気用ダンパを動作させ換気する。車両用では内外気切替用ダンパ、家庭用では換気ファン、業務用では換気装置を制御する。
【図面の簡単な説明】
【図１】本発明の実施の第１形態に係るガス検出装置の内部断面図である。
【図２】本発明の実施の第１形態に係るガス検出装置を車に適用した場合の構成図である。
【図３】本発明の実施の第２形態に係るガス検出装置の内部断面図である。
【図４】本発明の実施の第２形態に係るガス検出装置を車に適用した場合の構成図である。
【図５】本発明の実施の第２形態に係るガス検知装置の機能ブロック図である。
【図６】従来の半導体式ガスセンサの概略構成図である。
【符号の説明】
１００    ガス検出部
１０１    導入管部
１０２    仕切板
１０３    ガス透過フィルタ
１０４    不織布
１０５    断熱シールゴム
１０６    断熱用樹脂管
１１０    ガスセンサ
１１１    温度センサ
１１２    湿度センサ
１１９    不織布フィルタ
２０１    吸込みダクト
２０２    内外気切替ダンパ
２５０    マイコン
【図１】
0004533557.tif 000002
【図２】
0004533557.tif 000003
【図３】
0004533557.tif 000004
【図４】
0004533557.tif 000005
【図５】
0004533557.tif 000006
【図６】
0004533557.tif 000007